(57)【要約】      （修正有）【課題】頭が小さく立体的で丸みを帯びて見え、且つ、軽く、しなやかでやわらかい髪質に見せることが可能なヘアカット方法を提供する。【解決手段】頭頂部Ｈ１からハチ部Ｈ３を含む頭部Ｈのオーバーセクション１をカットするステップと、オーバーセクション１の下方であってハチ部Ｈ３からコメカミＫの上方の側頭部Ｈ２を通りボンノクボＶの上方の後頭部Ｈ４までのインナーミドルセクション２をカットするステップと、を備え、オーバーセクション１をカットするステップは、頭髪の根元に対してつむじＷを起点として最も外側の領域から生えている頭髪を、根元からつむじＷの回転方向に沿って毛先に向かって、つむじＷを起点として対数螺旋の軌道の一部に近づくように複数回転させて引き出して、毛先をカットする。インナーミドルセクション２をカットするステップは、頭髪根元がフラクタル形状が形成されるように、頭髪の根元をカットする。【選択図】図１
2019055037.tif 000002
【特許請求の範囲】
【請求項１】
頭頂部からハチ部を含む頭部の上方に仮想的に設定されるオーバーセクションをカットするステップと、
前記オーバーセクションの下方であって前記ハチ部からコメカミの上方の側頭部を通りボンノクボの上方の後頭部まで仮想的に設定されるインナーミドルセクションをカットするステップと、
を備え、
前記オーバーセクションをカットするステップは、
頭髪の根元に対してつむじを起点として複数の対数螺旋形状の領域を仮想的に設定するステップと、
前記領域のうち最も外側の領域から生えている前記頭髪を、根元から前記つむじの回転方向に沿って毛先に向かって、前記つむじを起点として対数螺旋の軌道の一部に近づくように複数回転させて引き出して、毛先をカットするステップと、
を有し、
前記インナーミドルセクションをカットするステップは、
前記頭髪の根元がフラクタル形状の領域を形成するように仮想的に設定するステップと、
前記フラクタル形状が形成されるように、前記頭髪の根元をカットするステップと、
を有する
ことを特徴とするヘアカット方法。
【請求項２】
前記オーバーセクションの前記頭髪をカットするステップは、
前記対数螺旋形状の領域を前記つむじに対して外側から順に以下の表のように第１領域Ａから第６領域Ｆまで設定し、
それぞれの前記対数螺旋形状の領域の長さと幅の中心での前記頭部との接触面を仮定し、前記接触面に対して以下の表のように前記頭髪を引き出す角度と前記つむじを起点として前記頭髪を回転させる回転数を設定し、
それぞれの前記領域の前記頭髪を前記角度と前記回転数で引き出した後、毛先を対数螺旋の軌道の一部に揃えてカットする
ことを特徴とする請求項１に記載のヘアカット方法。
【表４】
2019055037.tif 000006
【請求項３】
前記インナーミドルセクションは、魚のウロコ形状のフラクタル領域であって、
前記インナーミドルセクションの頭髪をカットするステップは、前記ウロコ形状を形成する弧の中央を含み、前記ウロコ形状を分割するように根元からカットする
ことを特徴とする請求項１又は２に記載のヘアカット方法。
【請求項４】
前記フラクタル領域は、縦を10〜15mm、横を18〜23mmの扇形で仮想し、
前記ウロコ形状を分割するようにカットするカットラインは、長さを10〜15mm、幅を2〜5mmとする
ことを特徴とする請求項３に記載のヘアカット方法。
【請求項５】
仕上げのための毛先をカットするステップを備え、
前記仕上げのための毛先をカットするステップは、
対数螺旋の軌道の一部に沿って前記頭髪を少なくとも１／４回転分引き出してカットするステップを有する
ことを特徴とする請求項１乃至４のいずれか１つに記載のヘアカット方法。
【請求項６】
前記インナーミドルセクションの前記頭髪をカットするステップ、前記オーバーセクションの前記頭髪をカットするステップ、前記仕上げのための毛先をカットするステップの順にカットする
ことを特徴とする請求項５に記載のヘアカット方法。
【発明の詳細な説明】
【技術分野】
【０００１】
本発明は、頭髪をカットし、毛量を調整するヘアカット方法に関する。
【背景技術】
【０００２】
従来、頭髪を、前頭部を覆うバングセクションと、側頭部を覆うサイドセクションと、後頭部を覆うバックセクションとに分け、各セクションにおいて、頭の上側から下側にかけて頭髪を少なくとも２つのブロックに分け、各セクションの最上位のブロックを除き、各ブロックの頭髪から毛束を取り出し、毛束の上部の頭髪の長さが、毛束の下部の頭髪の長さよりも短くなるように傾斜を付け、かつ、毛束の上部の頭髪の長さが、直上のブロックの下部の頭髪の長さより短くなるようにカットするヘアカット方法が開示されている（特許文献１参照）。
【先行技術文献】
【特許文献】
【０００３】
【特許文献１】特許５１９１６１４号公報
【発明の概要】
【発明が解決しようとする課題】
【０００４】
図１３は、日本人の頭部Ｈの骨格の特徴のイメージを示す。図１３（ａ）は日本人の頭部Ｈを正面から見た一例を示す。図１３（ｂ）は日本人の頭部Ｈを側面から見た一例を示す。
【０００５】
図１３に示すように、日本人の頭部Ｈの骨格の特徴として、頭頂部Ｈ１と側頭部Ｈ２との間のハチ部Ｈ３が突出しているハチハリ及び頭頂部Ｈ１と後頭部Ｈ４が平面的なゼッペキとがあげられる。また、日本人の髪質は、太くて硬い上、図１３に示すコメカミＫ及びボンノクボＶのような急所の上方部分には、頭髪が濃い密度で生える傾向にある。特に、後頭部Ｈ４が濃くなる。このようなゼッペキとハチハリによって四角く平面的な骨格の日本人の頭部ＨのコメカミＫ又はボンノクボＶのような急所の上方部分には急所を守るために頭髪が濃い密度で生える傾向にある。太くて硬い頭髪が濃い密度で生えると、頭部全体が角張って大きく見えてしまう。
【０００６】
例えば、４０年程前、面倒なヘアセットをする必要がないように、欧米から日本へ、ボブ等のヘアスタイルが入ってきた。欧米人は、頭頂部Ｈ１と後頭部Ｈ４が丸みをおびた卵形の骨格に、油分とキューティクルが多く、細くて柔らかい頭髪が十分に生えている。また、欧米人は、骨格が球体に近い分、強度があるので急所を守るために頭髪が部分的に密集しにくく、頭部全体で頭髪が平均的な量となり、密度の差が少ない。したがって、欧米人は、ヘアスタイルにあわせてハサミで切りそろえれば、骨格的に頭が小さく見え、頭髪が立体的に軽く見える。
【０００７】
これに対して、日本人がボブ等のヘアスタイルをハサミのみで切りそろえると、平面的な骨格と太くて硬くキューティクルが少ない膨張しやすい髪質によって、平面的で重く且つ大きく見えてしまう。そのため日本では、スキバサミやレザーで毛量調節を行い、軽く見えるようにしていた。しかしながら、スキバサミやレザーの使用は、頭髪の断面を痛め、キューティクルを剥がすことで、間充物質というタンパク質が流れ出し、弾力が無くなる結果、油分及び水分が減り、頭髪を痛め、パサツキや膨張を引き起こしていた。
【０００８】
本発明は、上述した事情に鑑みてなされたものであって、頭が小さく、丸みを帯びて軽く、カットで髪を傷めず、しなやかで柔らかい髪質、且つ立体的に見せることが可能なヘアカット方法を提供することを目的としている。
【課題を解決するための手段】
【０００９】
本発明の一実施形態であるヘアカット方法は、
頭頂部からハチ部を含む頭部の上方に仮想的に設定されるオーバーセクションをカットするステップと、
前記オーバーセクションの下方であって前記ハチ部からコメカミの上方の側頭部を通りボンノクボの上方の後頭部まで仮想的に設定されるインナーミドルセクションをカットするステップと、
を備え、
前記オーバーセクションをカットするステップは、
頭髪の根元に対してつむじを起点として複数の対数螺旋形状の領域を仮想的に設定するステップと、
前記領域のうち最も外側の領域から生えている前記頭髪を、根元から前記つむじの回転方向に沿って毛先に向かって、前記つむじを起点として対数螺旋の軌道の一部に近づくように複数回転させて引き出して、毛先をカットするステップと、
を有し、
前記インナーミドルセクションをカットするステップは、
前記頭髪の根元がフラクタル形状の領域を形成するように仮想的に設定するステップと、
前記フラクタル形状が形成されるように前記頭髪の根元をカットするステップと、
を有する
ことを特徴とする。
【００１０】
本発明の一実施形態であるヘアカット方法は、
前記オーバーセクションの前記頭髪をカットするステップは、
前記対数螺旋形状の領域を前記つむじに対して外側から順に以下の表のように第１領域Ａから第６領域Ｆまで設定し、
それぞれの前記対数螺旋形状の領域の長さと幅の中心での前記頭部との接触面を仮定し、前記接触面に対して以下の表１のように前記頭髪を引き出す角度と前記つむじを起点として前記頭髪を回転させる回転数を設定し、
それぞれの前記領域の前記頭髪を前記角度と前記回転数で引き出した後、毛先を対数螺旋の軌道の一部に揃えてカットする
ことを特徴とする。
【表１】
2019055037.tif 000003
【００１１】
本発明の一実施形態であるヘアカット方法は、
前記インナーミドルセクションは、魚のウロコ形状のフラクタル領域であって、
前記インナーミドルセクションの頭髪をカットするステップは、前記ウロコ形状を形成する弧の中央を含み、前記ウロコ形状を分割するように根元からカットする
ことを特徴とする。
【００１２】
本発明の一実施形態であるヘアカット方法は、
前記フラクタル領域は、縦を10〜15mm、横を18〜23mmの扇形で仮想し、
前記ウロコ形状を分割するようにカットするカットラインは、長さを10〜15mm、幅を2〜5mmとする
ことを特徴とする。
【００１３】
本発明の一実施形態であるヘアカット方法は、
仕上げのための毛先をカットするステップを備え、
前記仕上げのための毛先をカットするステップは、
対数螺旋の軌道の一部に沿って前記頭髪を少なくとも１／４回転分引き出してカットするステップを有する
ことを特徴とする。
【００１４】
本発明の一実施形態であるヘアカット方法は、
前記インナーミドルセクションの前記頭髪をカットするステップ、前記オーバーセクションの前記頭髪をカットするステップ、前記仕上げのための毛先をカットするステップの順にカットする
ことを特徴とする。
【発明の効果】
【００１５】
本発明の一実施形態であるヘアカット方法によれば、頭が立体的で小さく丸みを帯びて見え、且つ、軽くしなやかでやわらかい髪質に見せることが可能となる。
【図面の簡単な説明】
【００１６】
【図１】人間の頭部のつくりを示す。
【図２】人間の頭部のイメージを示す。
【図３】本発明に係る一実施形態のオーバーセクションのヘアカット方法のイメージを示す。
【図４】頭部の上方から見たつむじ周辺の頭髪の根元のイメージを示す。
【図５】黄金螺旋の形状を示す。
【図６】頭髪を引き出した状態の頭部を側方から見たイメージを示す。
【図７】頭髪１０を引き出した状態の頭部Ｈを上方から見たイメージを示す。
【図８】本発明に係る一実施形態のインナーミドルセクションのヘアカット方法の一例のイメージを示す。
【図９】インナーミドルセクションの一領域を拡大した図を示す。
【図１０】本発明に係る一実施形態のアンダーセクションのヘアカット方法の一例のイメージを示す。
【図１１】本発明に係る一実施形態のアンダーセクションのヘアカット方法の一例を側方から見たイメージを示す。
【図１２】頭髪の束のカット方法の一例のイメージを示す。
【図１３】日本人の頭部の骨格の特徴のイメージを示す。
【発明を実施するための形態】
【００１７】
本実施形態のヘアカット方法について説明する。このヘアカット方法は、髪型を整えるカットの前、若しくは同時に、毛量を効率良く調整するために行うカット方法である。
【００１８】
図１は、人間の頭部のつくりを示す。
【００１９】
本実施形態では、頭部Ｈの頭髪が生えている部分を３つのセクションに分ける。３つのセクションは、オーバーセクション１、インナーミドルセクション２及びアンダーセクション３とする。オーバーセクション１は、頭頂部Ｈ１からハチ部Ｈ３を含む頭部Ｈの上方であって、前方の頭髪の生え際から後方はつむじＷを含むように設定する。インナーミドルセクション２は、オーバーセクション１の下方であってハチ部Ｈ３からコメカミＫの上方の側頭部Ｈ２を通りボンノクボＶの上方の後頭部Ｈ４まで設定する。アンダーセクション３は、インナーミドルセクション２の下方であって、ハチＨ３から両耳付近のコメカミＫを通りボンノクボＶ辺りを含むように設定する。
【００２０】
図２は、人間の頭部Ｈのイメージを示す。
【００２１】
本実施形態のヘアカット方法は、頭頂部Ｈ１からハチ部Ｈ３を含む頭部Ｈの上方であるオーバーセクション１で対数螺旋の軌道の一部を有するつむじＷの回転方向に沿って頭髪を引き出してカットするステップと、オーバーセクション１より下方のインナーミドルセクション２で頭髪がフラクタル構造に近づくようにカットするステップと、仕上げのための毛先のヘアカットで少なくとも螺旋の一部に沿って頭髪を引き出してカットするステップと、を有する。
【００２２】
まず、オーバーセクション１のヘアカット方法について説明する。
【００２３】
オーバーセクション１は、頭蓋骨の強度が一番強く、頭髪が頭蓋骨を守る優先順位は低い。しかしながら、オーバーセクション１では、頭髪の重なりも多く、放置すると頭髪が多く重なりすぎ、頭皮が圧迫されて硬くなり、血行が悪くなる。すると、頭皮が酸欠気味になるので、細胞の活性化が抑制されてしまう。さらに、オーバーセクション１は、他のセクションと比較してコメカミＫやボンノクボＶのような著しい急所が少なく、頭蓋骨を守る優先順位が低いので、毛根に働く栄養分の配分が少ない。したがって、オーバーセクション１は、放置すると、頭頂部Ｈ１の頭髪が細くなり、平面的になってしまう。そして、最終的には、頭頂部Ｈ１の頭髪が薄くなる。
【００２４】
図３は、本発明に係る一実施形態のオーバーセクション１のヘアカット方法のイメージを示す。図３（ａ）は、頭髪１０をつむじの回転方向にあわせて数回転させた状態を示す。図３（ｂ）は、図３（ａ）から頭髪１０をつむじの回転方向にあわせてさらに数回転させた状態を示す。図３（ｃ）は、図３（ｂ）から頭髪１０をつむじの回転方向にあわせて７周回転させた状態を示す。
【００２５】
オーバーセクション１は、頭頂部Ｈ１からハチ部Ｈ３を含む頭部Ｈの上方であって、前方の額の頭髪１０の生え際から後方のつむじＷを含む領域である。オーバーセクション１の頭髪１０をカットする際には、まず、領域の最外側から頭髪１０をつむじＷの回転方向に沿って引き出す。頭髪１０は、３回以上螺旋状に回転させることが好ましい。
【００２６】
図３（ａ）に示すように、領域の最外側から頭髪１０を根元ＲからつむじＷの回転方向にあわせて数回転させると、頭髪１０の根元のラインがつむじＷの回転方向に近づいていく。続けて、図３（ｂ）に示すように、図３（ａ）の状態からさらに数回転させると、さらに頭髪１０の根元のラインがつむじＷの回転方向に近づいていく。そして、図３（ｃ）に示すように、図３（ｂ）の状態からさらに回転させると、ほぼ頭髪１０の根元ＲのラインとつむじＷの回転方向が同じ状態となる。また、図３（ｃ）の状態では、頭髪１０の先に向かうほどカーブがきつくなるように絞り上げることが好ましい。ここで、根元Ｒとは頭髪１０の生えている頭皮から0.5〜1.5cm程度までとする。
【００２７】
最後に、毛先をカットする。毛先は、引き出した頭髪１０を対数螺旋の軌道の一部を有する形状にカットされるとよい。
【００２８】
日本人は、図１３に示したように、頭頂部Ｈ１からハチ部Ｈ３が平面的なので、頭髪１０が頭頂部Ｈ１からハチ部Ｈ３にたまり、頭部Ｈを大きく見せてしまう。この頭頂部Ｈ１からハチ部Ｈ３の頭髪１０を従来のように直線的に引き出してカットすると、余分な重なりが残り、立体的になりにくい。
【００２９】
そこで、つむじを起点に回転させながら引き出した頭髪１０を対数螺旋の軌道の一部にカットすることで、余分な頭髪１０のみがカットされ、効率の良い重なりを形成し、平面的な頭頂部Ｈ１からハチ部Ｈ３を立体的に見えるようにカットすることが可能となる。
【００３０】
続いて、オーバーセクション１のヘアカット方法の一例を具体的に説明する。
【００３１】
図４は、頭部Ｈの上方から見たつむじＷ周辺の頭髪１０の根元Ｒのイメージを示す。図５は、黄金螺旋の形状を示す。図６は、頭髪１０を引き出した状態の頭部Ｈを側方から見たイメージを示す。図７は、頭髪１０を引き出した状態の頭部Ｈを上方から見たイメージを示す。
【００３２】
頭部Ｈの上方から見たつむじＷ周辺の頭髪１０の根元Ｒは、図４に示すように、つむじＷを起点にほぼ対数螺旋の軌道の一部に沿って並んでいる。ここで、対数螺旋とは、図５に示す黄金螺旋が好ましい。黄金螺旋とは、縦横比を黄金比で作った長方形を次々に並べてその頂点を曲線でつないでいくものである。なお、頭蓋骨の形状には個人差があるので、対数螺旋の軌道が歪むことがある。実際には個人の骨格のゆがみに対応させて対数螺旋の軌道の一部に近づけることが好ましい。
【００３３】
本実施形態では、図４に示すように、１ターンのカットにおいて、頭髪１０の根元Ｒに対して第１領域Ａから第６領域Ｆを設定する。なお、領域は、６つに限らず、いくつ設定してもよい。各領域は、つむじＷの回転方向、すなわちつむじＷを起点として対数螺旋の軌道の一部に沿って設定される。本実施形態では、各領域の寸法（cm）を以下の表１のように仮想的に設定する。
【表２】
2019055037.tif 000004
【００３４】
まず、第１領域Ａから生えている頭髪１０を根元ＲからつむじＷの回転方向に沿って毛先に向かって引き出す。頭髪は、対数螺旋の軌道の一部に近づくように回転させて引き出すことが好ましい。特に、図５に示すような黄金螺旋に近づけることが好ましい。
【００３５】
頭髪１０を引き出す角度は、第１領域Ａの長さと幅の中心Ａｃでの頭部Ｈとの接触面を仮定し、その接触面に対して０°の方向とする。そして、つむじＷを起点として７〜９周回転させて、第１のライン（１）で毛先を根元と同じ対数螺旋の軌道の一部にカットする。第１のライン（１）は、第１の領域Ａと同じ対数螺旋の軌道でよい。
【００３６】
続いて、第２領域Ｂから生えている頭髪１０を根元ＲからつむじＷの回転方向に沿って毛先に向かって引き出す。頭髪は、対数螺旋の軌道の一部に近づくように回転させて引き出すことが好ましい。特に、図５に示すような黄金螺旋に近づけることが好ましい。
【００３７】
頭髪１０を引き出す角度は、第２領域Ｂの長さと幅の中心Ｂｃでの頭部Ｈとの接触面を仮定し、その接触面に対して３０°の方向とする。そして、つむじＷを起点として６〜８周回転させて、図６に示す第２のライン（２）で毛先をカットする。第２のライン（２）は、第２の領域Ｂと同じ対数螺旋の軌道の一部にカットされるとよい。
【００３８】
以下、第３領域Ｃから第６領域Ｆまで同様に引き出し、カットする。上の表には、第１領域Ａ〜第６領域Ｆをカットする際の頭髪の引き出し角度（°）と、回転数（回）を示している。
【００３９】
このように、オーバーセクション１では、頭髪１０を対数螺旋の軌道の一部に近づくように回転させて引き出して対数螺旋形状にカットする。したがって、頭髪１０の重なりを少なくし、頭皮の血行を良くすることで、細胞を活性化させる。また、余分な頭髪の重なりがなくなり、頭髪が軽くなって上方に引き上げられ、頭を小さく丸みを帯びて立体的に見せることが可能となる。特に、黄金螺旋に近づけることで、効率的でより美しく安定して見せることが可能となる。オーバーセクション１のヘアカットする長さは、最終的な髪型にあわせればよい。その後、髪型にあわせてさらに頭髪をカットしてもよい。
【００４０】
次に、インナーミドルセクション２のヘアカット方法について説明する。
【００４１】
図８は、本発明に係る一実施形態のインナーミドルセクション２のヘアカット方法の一例のイメージを示す。図９は、インナーミドルセクション２の一領域を拡大した図を示す。
【００４２】
インナーミドルセクション２では、頭蓋骨にあるコメカミとボンノクボという急所を守るために、密度の濃い太い頭髪１０が生えている。この密度の濃い太い頭髪１０は、フラクタル比率の軌道に同調して、効率良い比率及び配列で生えている。しかしながら、頭髪１０の伸びを放置していると、頭髪１０が重なりすぎて、密度が増してしまう。また、インナーミドルセクション２は、効率良くカットしないと、ゼッペキを強調したり、密度の限界を超え、ハチハリを強調したり、頭髪１０の重心が下がったりすることで、頭を大きく見せてしまう。また、頭髪１０が跳ねてしまう場合がある。
【００４３】
本実施形態のインナーミドルセクション２では、頭髪１０がフィボナッチ数列に内包されるフラクタル構造に近づくように密度をコントロールして根元をカットする。フラクタル構造とは、図形の部分形状と図形の全体形状が自己相似になっている構造であり、フィボナッチ数列に内包される形状である。
【００４４】
図８に示す例では、インナーミドルセクション２の頭髪１０の根元Ｒが小さな魚のウロコ状の互い違いの仮想ラインＩＬ及びフラクタル形状のフラクタル領域２０を形成するように設定される。続いて、図９に示すように、フラクタル領域２０を仮想ラインＩＬのほぼ中央でウロコを分割するように、カットラインＣＬでカットする。すると、任意の部分に相似の形状が形成されるようなフラクタル構造に頭髪１０がカットされる。
【００４５】
図９に示すフラクタル領域２０は、縦を約10〜15mm、横を約18〜23mmの扇形で仮想している。また、カットラインＣＬは、長さを約10〜15mm、幅を約2〜5mmとする。インナーミドルセクション２のカットラインＣＬ以外の頭髪をカットする長さは、最終的な髪型にあわせればよい。その後、髪型にあわせてさらに頭髪をカットしてもよい。
【００４６】
このように、太くて硬い頭髪が濃い密度で生えるインナーミドルセクション２の頭髪の根元をフラクタル構造にカットすることで、以下のような髪質の個人差に対応した作用効果が生じる。まず、直毛でも束感が出て立体的に見せ、くせ毛でも隙間を作ることで独立して扱いやすくすることが可能となる。次に、太毛でも隙間をあけて細毛の束のように見せ、細毛でも隙間を調節して強い毛の束のように見せることが可能となる。続いて、硬い毛でも束が柔らかくしなやかにし、軟らかい毛でも面から毛束感をだして収めることが可能となる。また、多毛でも密度を調節して軽くでき、少毛でも隙間の間隔を調節して毛束感をだしベタッと見せないことが可能となる。さらに、油分及び水分の多い毛でも隙間をあけてしなやかに見せ、パサパサした油分及び水分の少ない毛でも毛束感をだして収めることが可能となる。
【００４７】
次に、仕上げのための毛先のヘアカット方法について説明する。仕上げのための毛先のカットは、主にアンダーセクション３から生えた頭髪１０のカットである。しかしながら、頭髪１０が長い場合には、オーバーセクション１又はインナーミドルセクション２から生えた頭髪１０もカットされる。
【００４８】
図１０は、本発明に係る一実施形態の仕上げのための毛先のヘアカット方法の一例を後方から見たイメージを示す。図１１は、本発明に係る一実施形態の仕上げのための毛先のヘアカット方法の一例を側方から見たイメージを示す。図１２は、頭髪の束のカット方法の一例のイメージを示す。
【００４９】
仕上げのための毛先をカットする際、まず、アンダーセクション３から生えた頭髪１０をカットする。アンダーセクション３は、インナーミドルセクション２の下方であって、図２に示した両耳付近のコメカミＫからボンノクボＶ辺りを含む。アンダーセクション３をヘアカットする際には、まず、後頭部の上下方向に延びる線上に、長さが約40〜50mmの複数の引出部を設定する。
【００５０】
まず、最も下方の第１ライン第１引出部Ｕ１１から生えている頭髪１０の根元Ｒから側方に向けて頭髪１０を引き出す。頭髪１０は、第１ライン第１引出部Ｕ１１から対数螺旋の軌道の一部に沿って側方から下方に向けて回転させて引き出されることが好ましい。特に、図５に示すような黄金螺旋の少なくとも１／４回転分に近づけることが好ましい。頭髪１０を引き出す角度は、第１ライン第１引出部Ｕ１１の長さの中心Ｕ１１ｃでの頭部Ｈとの接触面を仮定し、その接触面に対して０〜５°の方向とする。したがって、第１ライン第１引出部Ｕ１１とその引き出し側の側方にある頭髪１０が引き出される。引き出された頭部Ｈの後方の頭髪は、図１０に示すように、側方に向けて引き出され、その後対数螺旋の軌道の一部に沿って下方に向けて引き出されて、髪型にあわせた長さのアンダーカットラインＵＣＬで毛束の余分な毛先がカットされる。なお、実際には個人の骨格のゆがみに対応させた対数螺旋の軌道の一部に近づけることが好ましい。
【００５１】
その後、順に、第１ライン第１引出部Ｕ１１の上方の第１ライン第２引出部Ｕ１２、第１ライン第３引出部Ｕ１３、第１ライン第４引出部Ｕ１４をカットする。頭髪１０が長い場合、インナーミドルセクション２又はオーバーセクション１から生えた頭髪１０もカットされる。インナーミドルセクション２又はオーバーセクション１から生えた頭髪１０の仕上げのための毛先をカットする場合、アンダーセクション３から生えた頭髪１０と同じようにカットすればよい。なお、頭髪１０がアンダーカットラインＵＣＬに届かなくなった場合にはカットを終える。
【００５２】
アンダーセクション３の側方をヘアカットする際には、図１１に示すように、側頭部の上下方向に延びる第２ライン上に、複数の引出部Ｕ２１〜Ｕ２２を仮想的に設定する。各引出部Ｕ２１〜Ｕ２２は、長さを約40〜50mmとする。
【００５３】
まず、最も下方の第２ライン第１引出部Ｕ２１から生えている頭髪１０の根元Ｒから前方に向けて頭髪１０を引き出す。頭髪１０は、第２ライン第１引出部Ｕ２１から対数螺旋の軌道の一部に近づくように前方から下方に向けて回転させて引き出されることが好ましい。特に、図５に示すような黄金螺旋の少なくとも１／４回転分に近づけることが好ましい。頭髪１０を引き出す角度は、第２ライン第１引出部Ｕ２１の長さの中心Ｕ２１ｃでの頭部Ｈとの接触面を仮定し、その接触面に対して０〜５°の方向とする。したがって、第２ライン第１引出部Ｕ２１とその引き出し側の前方にある頭髪１０が引き出される。引き出された頭部Ｈの側方の頭髪は、図１１に示すように、前方に向けて引き出され、その後、対数螺旋の軌道の一部に沿って下方に向けて引き出されて、髪型にあわせた長さのアンダーカットラインＵＣＬでカットされる。なお、実際には個人の骨格のゆがみに対応させた対数螺旋の軌道の一部に近づけることが好ましい。
【００５４】
その後、順に、第２ライン第１引出部Ｕ２１の上方の第２ライン第２引出部Ｕ２２をカットする。頭髪１０が長い場合、インナーミドルセクション２又はオーバーセクション１から生えた頭髪１０もカットされる。インナーミドルセクション２又はオーバーセクション１から生えた頭髪１０の仕上げのための毛先をカットする場合、アンダーセクション３から生えた頭髪１０と同じようにカットすればよい。なお、頭髪１０がアンダーカットラインＵＣＬに届かなくなった場合にはカットを終える。
【００５５】
仕上げのための毛先をカットする長さは、最終的な髪型にあわせればよい。アンダーカット領域Ｕがインナーミドルセクション２を含むような長い髪型の場合、アンダーセクション３とインナーミドルセクション２の頭髪１０を一緒に引き出してカットしてもよい。その後、髪型にあわせてさらに頭髪をカットしてもよい。逆にショートカットのような短い髪型の場合、領域が無いので、アンダーセクション３のカットを行わなくてもよい。
【００５６】
このように、頭髪を対数螺旋の軌道の一部に近づくように回転させて骨格に沿うように引き出してカットすることで、余分な頭髪の毛先のみをカットし、頭髪１０の毛束の厚みを取り、頭髪を跳ねさせずに内側にまとめることが可能となる。
【００５７】
特に、図５に示すような対数螺旋に含まれる黄金螺旋に近づけることが好ましい。このように、頭髪を黄金螺旋に近づくように回転させて引き出してカットすることで、頭髪の毛先を跳ねさせずに内側にまとめることが可能となる。
【００５８】
さらに、オーバーセクション１の対数螺旋、インナーミドルセクション２のフィボナッチ数列、仕上げのための毛先をカットする際の対数螺旋の１／４の軌道をつむじＷから繋げることで、頭蓋骨の個人差によって歪んだ頭髪の流れを最適な状態とすることが可能となる。
【００５９】
また、引き出した頭髪１０の束ｈ１は、図１２に示すように、切り口ｈ２が個人の頭部に沿った曲面を描くようにカットできる。このように、切り口ｈ２の頭皮側が短く、頭皮から離れた側が長い曲面を描くようにカットされることで、さらに頭髪を跳ねさせずに内側にまとめることが可能となる。
【００６０】
これらの各セクションをカットする際は、インナーミドルセクション２の頭髪をカットするステップ、オーバーセクション１の頭髪をカットするステップ、仕上げのための毛先をカットするステップの順にカットすることが好ましい。
【００６１】
インナーミドルセクション２、オーバーセクション１、仕上げのための毛先の順に、頭髪をカットすることで、まず、インナーミドルセクション２で頭髪を効率の良い密度にカットし、続いて、オーバーセクション１で頭髪を効率の良い重なりにカットすることで、頭髪が効率の良い分量となり、最後の仕上げのための毛先のカットで余分な毛先のみをカットし、頭髪の毛束の厚みを取り、頭髪を跳ねさせずに内側にまとめることが可能となる。その後、髪型にあわせてさらに頭髪をカットしてもよい。
【００６２】
以上、本実施形態であるヘアカット方法によれば、頭頂部Ｈ１からハチ部Ｈ３を含む頭部Ｈの上方に仮想的に設定されるオーバーセクション１をカットするステップと、オーバーセクション１の下方であってハチ部Ｈ３からコメカミＫの上方の側頭部Ｈ２を通りボンノクボＶの上方の後頭部Ｈ４まで仮想的に設定されるインナーミドルセクション２をカットするステップと、を備え、オーバーセクション１をカットするステップは、頭髪１０の根元Ｒに対してつむじＷを起点として複数の対数螺旋形状の領域Ａ〜Ｇを仮想的に設定するステップと、領域Ａ〜Ｇのうち最も外側の領域Ａから生えている頭髪１０を、根元ＲからつむじＷの回転方向に沿って毛先（１）に向かって、つむじＷを起点として対数螺旋の軌道の一部に近づくように複数回転させて引き出して、毛先（１）をカットするステップと、を有し、インナーミドルセクション２をカットするステップは、頭髪１０の根元Ｒがフラクタル形状の領域を形成するように仮想的に設定するステップと、フラクタル形状が形成されるように頭髪の根元をカットするステップと、を有するので、頭が立体的で小さく丸みを帯びて見え、且つ、軽くしなやかでやわらかい髪質に見せることが可能となる。
【００６３】
なお、軽い髪質に見せるためにスキバサミやレザーを使用して毛量調節をする場合がある。しかしながら、スキバサミやレザーでカットをすると、必要な頭髪をカットし、必要でない頭髪を残してしまうおそれがあり、頭髪の流れを断ち切ってしまうので、頭髪がうまく流れなくなり、仕上げが困難となる。また、スキバサミでのカットは、切り口がちぎれたり、つぶれたりして頭髪が痛み、レザーでカットをすると、切り口の前後のキューティクルが剥がれ、間充物質というタンパク質が流れ出し、弾力が無くなる。その結果、油分及び水分が減り、頭髪を痛め、パサツキや膨張を引き起こしていた。
【００６４】
本実施形態であるヘアカット方法によれば、スキバサミやレザーを使用せずにカットすることができるので、必要な頭髪を残し、必要でない頭髪をカットすることができ、頭髪の流れを保持し、頭髪がうまく流れ、容易に仕上げることが可能となる。スキバサミやレザーを使用せずにカットすることができるので、キューティクルが残り、頭髪を痛ませることがない。
【００６５】
また、本実施形態であるヘアカット方法によれば、オーバーセクション１の頭髪をカットするステップは、対数螺旋形状の領域をつむじＷに対して外側から順に以下の表のように第１領域Ａから第６領域Ｆまで設定し、それぞれの対数螺旋形状の領域の長さと幅の中心での頭部Ｈとの接触面を仮定し、接触面に対して以下の表のように頭髪１０を引き出す角度とつむじＷを起点として頭髪１０を回転させる回転数を設定し、それぞれの領域の頭髪１０をそれぞれの角度と回転数で引き出した後、対数螺旋の軌道の一部にカットするので、余分な頭髪のみがカットされ、効率の良い重なりを形成し、平面的な頭頂部Ｈ１からハチ部Ｈ３を立体的にカットすることが可能となる。
【表３】
2019055037.tif 000005
【００６６】
また、本実施形態であるヘアカット方法によれば、インナーミドルセクション２は、魚のウロコ形状のフラクタル領域であって、インナーミドルセクション２の頭髪１０をカットするステップは、ウロコ形状を形成する弧の中央を含み、ウロコ形状を分割するようにカットするので、頭髪に隙間が空き、効率の良い密度となり、立体的に丸みを帯びて軽くしなやかでやわらかい髪質に見せることが可能となる。
【００６７】
また、本実施形態であるヘアカット方法によれば、フラクタル領域は、縦を10〜15mm、横を18〜23mmの扇形で仮想し、ウロコ形状を分割するようにカットするカットラインは、長さを10〜15mm、幅を2〜5mmとするので、頭髪が１つの束にならず、複数の束の集合体になり、さらに立体的に丸みを帯びて軽くしなやかでやわらかい髪質に見せることが可能となる。
【００６８】
また、本実施形態であるヘアカット方法によれば、仕上げのための毛先をカットするステップを備え、仕上げのための毛先をカットするステップは、対数螺旋の軌道の一部に沿って頭髪１０を少なくとも１／４回転分引き出してカットするステップを有するので、余分な毛先のみをカットし、頭髪の毛束の厚みをなくし、頭髪を跳ねさせずに内側にまとめることが可能となる。
【００６９】
また、本実施形態であるヘアカット方法によれば、インナーミドルセクション２の頭髪をカットするステップ、オーバーセクション１の頭髪をカットするステップ、仕上げのための毛先をカットするステップの順にカットするので、まず、インナーミドルセクション２で頭髪を効率の良い密度にカットし、続いて、オーバーセクション１で頭髪を効率の良い重なりにカットすることで、頭髪が効率の良い分量となり、最後に手束の余分な厚みの毛先のみを効率良くカットし、毛先を跳ねさせずに内側にまとめることが可能となる。
【００７０】
なお、この実施形態によって本発明は限定されるものではなく、色々なバリエーションや変更を加えても、本発明の範囲を超えるものではない。
【符号の説明】
【００７１】
１…オーバーセクション
２…インナーミドルセクション
３…アンダーセクション
【図１】
2019055037.tif 000007
【図２】
2019055037.tif 000008
【図３】
2019055037.tif 000009
【図４】
2019055037.tif 000010
【図５】
2019055037.tif 000011
【図６】
2019055037.tif 000012
【図７】
2019055037.tif 000013
【図８】
2019055037.tif 000014
【図９】
2019055037.tif 000015
【図１０】
2019055037.tif 000016
【図１１】
2019055037.tif 000017
【図１２】
2019055037.tif 000018
【図１３】
2019055037.tif 000019
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
頭頂部からハチ部を含む頭部の上方に仮想的に設定されるオーバーセクションをカットするステップと、
前記オーバーセクションの下方であって前記ハチ部からコメカミの上方の側頭部を通りボンノクボの上方の後頭部まで仮想的に設定されるインナーミドルセクションをカットするステップと、
を備え、
前記オーバーセクションをカットするステップは、
頭髪の根元に対してつむじを起点として複数の対数螺旋形状の領域を仮想的に設定するステップと、
前記領域のうち最も外側の領域から生えている前記頭髪の根元を指に挟んで前記つむじの回転方向に沿って毛先に向かって指を滑らせて、前記つむじを起点として前記頭髪を対数螺旋の軌道の一部に近づくように複数回転させて引き出して毛先をカットするステップと、
を有し、
前記インナーミドルセクションをカットするステップは、
前記頭髪の根元がフラクタル形状の領域を形成するように仮想的に設定するステップと、
前記フラクタル形状が形成されるように、前記頭髪の根元をカットするステップと、
を有し、
前記オーバーセクションの前記頭髪をカットするステップは、
前記対数螺旋形状の領域を前記つむじに対して外側から順に以下の表のように第１領域Ａから第６領域Ｆまで設定し、
それぞれの前記対数螺旋形状の領域の長さと幅の中心での前記頭部との接触面を仮定し、前記接触面に対して以下の表のように前記頭髪を引き出す角度と前記つむじを起点として前記頭髪を回転させる回転数を設定し、
それぞれの前記領域の前記頭髪を前記角度と前記回転数で引き出した後、毛先を対数螺旋の軌道の一部に揃えてカットする
ことを特徴とするヘアカット方法。
【表１】
2019055037.tif 000020
【請求項２】
頭頂部からハチ部を含む頭部の上方に仮想的に設定されるオーバーセクションをカットするステップと、
前記オーバーセクションの下方であって前記ハチ部からコメカミの上方の側頭部を通りボンノクボの上方の後頭部まで仮想的に設定されるインナーミドルセクションをカットするステップと、
を備え、
前記オーバーセクションをカットするステップは、
頭髪の根元に対してつむじを起点として複数の対数螺旋形状の領域を仮想的に設定するステップと、
前記領域のうち最も外側の領域から生えている前記頭髪の根元を指に挟んで前記つむじの回転方向に沿って毛先に向かって指を滑らせて、前記つむじを起点として前記頭髪を対数螺旋の軌道の一部に近づくように複数回転させて引き出して毛先をカットするステップと、
を有し、
前記インナーミドルセクションをカットするステップは、
前記頭髪の根元がフラクタル形状の領域を形成するように仮想的に設定するステップと、
前記フラクタル形状が形成されるように、前記頭髪の根元をカットするステップと、
を有し、
前記インナーミドルセクションは、魚のウロコ形状のフラクタル領域であって、
前記インナーミドルセクションの頭髪をカットするステップは、前記ウロコ形状を形成する弧の中央を含み、前記ウロコ形状を分割するように根元からカットする
ことを特徴とするヘアカット方法。
【請求項３】
前記フラクタル領域は、縦を10〜15mm、横を18〜23mmの扇形で仮想し、
前記ウロコ形状を分割するようにカットするカットラインは、長さを10〜15mm、幅を2〜5mmとする
ことを特徴とする請求項２に記載のヘアカット方法。
【請求項４】
仕上げのための毛先をカットするステップを備え、
前記仕上げのための毛先をカットするステップは、
対数螺旋の軌道の一部に沿って前記頭髪を少なくとも１／４回転分引き出してカットするステップを有する
ことを特徴とする請求項１乃至３のいずれか１つに記載のヘアカット方法。
【請求項５】
前記インナーミドルセクションの前記頭髪をカットするステップ、前記オーバーセクションの前記頭髪をカットするステップ、前記仕上げのための毛先をカットするステップの順にカットする
ことを特徴とする請求項４に記載のヘアカット方法。